(57)【特許請求の範囲】
【請求項１】
扉の裏側に取付けられた、略方形箱形状に形成され、その箱形状の凹部の底部の一側部に通孔を設けた把手ケースと，
前記把手ケースの凹部上の左右方向片側約半分を覆い、板状に形成され、前記把手ケースの凹部の一側部において支軸を介して回転自在に支承され、回転支承側の裏面の中央部に前記把手ケースの通孔に移動自在に嵌挿した作動ノッチを突設した回転把手と，
前記回転把手ケースの底部に取り付けた方形箱形状の背面ケーシングと，
前記把手ケースと背面ケーシングの間の、上下方向中央部に、横方向にスライド自在に設置され、後端に前記回転把手の作動ノッチの先端を係合した孔を設け、先端に突起または長孔を設けたスライダーと，
前記背面ケーシング内に収容配置が可能な大きさで、かつ、Ｔ字状で、Ｔ字の水平部中央に孔を設け、その孔に前記背面ケースの突起を挿入し、その突起を軸として回動自在であり、Ｔ字の水平部の左右を作動レバーとし、該作動レバーの先端部に孔または突起を設け、Ｔ字の垂直部の先端部に長孔を設け、その長孔に前記スライダーの突起を挿入するか、または、Ｔ字の垂直部の先端部に突起を設け、その突起を前記スライダーの長孔に挿入してなる作動部材と，
一方の端部に突起または孔を設け、その突起を前記作動部材の左右の作動レバーの孔に挿入するか、または、前記長孔に前記作動部材の左右の作動レバーの突起を挿入して係合され、他端が作動レバーの作動により上下に進退して扉とそれに接する枠とを係合またはその開放を可能とするロッドと，
よりなり、
前記回転把手の回転立ち上がりにより作動ノッチが前記スライダーを押し、スライダー先端の突起または長孔壁が前記作動部材のＴ字の垂直部を押して作動レバーが水平となり、作動レバーがロッドを引いてロッドによる扉と枠の係合を解いて扉を開くことを可能とし、回転把手を倒して元の状態にすることにより作動ノッチがスライダーを引き、スライダーが作動部材のＴ字の垂直部を引き、作動レバーが斜めになってロッドを押し、ロッドの先端が扉より出て枠に係合する扉の開閉装置において、
前記背面ケーシングの底部に横方向の長孔を設け、かつ、該長孔に対向する扉内面の位置に該長孔と同じ大きさの長孔を設け、前記スライダーに螺孔を設け、扉内面側から前記長孔を挿通して前記螺孔にノブの先端を螺入し、該ノブによりスライダーをスライド可能にし、扉の内面側から、前記ノブにより前記スライダーをスライドさせて扉を開くことを可能とする扉の開閉装置。
【請求項２】
扉の裏側に取付けられた、略方形箱形状に形成され、その箱形状の凹部の底部の一側部に通孔を設けた把手ケースと，
前記把手ケースの凹部上の左右方向片側約半分を覆い、板状に形成され、前記把手ケースの凹部の一側部において支軸を介して回転自在に支承され、回転支承側の裏面の中央部に前記把手ケースの通孔に移動自在に嵌挿した作動ノッチを突設した回転把手と，
前記回転把手ケースの底部に取り付けた方形箱形状の背面ケーシングと，
前記把手ケースと背面ケーシングの間の、上下方向中央部に、横方向にスライド自在に設置され、後端に前記回転把手の作動ノッチの先端を係合した孔を設け、先端に突起または長孔を設けたスライダーと，
前記背面ケーシング内に収容配置が可能な大きさで、かつ、Ｔ字状で、Ｔ字の水平部中央に孔を設け、その孔に前記背面ケースの突起を挿入し、その突起を軸として回動自在であり、Ｔ字の水平部の左右を作動レバーとし、該作動レバーの先端部に孔または突起を設け、Ｔ字の垂直部の先端部に長孔を設け、その長孔に前記スライダーの突起を挿入するか、または、Ｔ字の垂直部の先端部に突起を設け、その突起を前記スライダーの長孔に挿入してなる作動部材と，
一方の端部に突起または孔を設け、その突起を前記作動部材の左右の作動レバーの孔に挿入するか、または、前記長孔に前記作動部材の左右の作動レバーの突起を挿入して係合され、他端が作動レバーの作動により上下に進退して扉とそれに接する枠とを係合またはその開放を可能とするロッドと，
よりなり、
前記回転把手の回転立ち上がりにより作動ノッチが前記スライダーを押し、スライダー先端の突起または長孔壁が前記作動部材のＴ字の垂直部を押して作動レバーが水平となり、作動レバーがロッドを引いてロッドによる扉と枠の係合を解いて扉を開くことを可能とし、回転把手を倒して元の状態にすることにより作動ノッチがスライダーを引き、スライダーが作動部材のＴ字の垂直部を引き、作動レバーが斜めになってロッドを押し、ロッドの先端が扉より出て枠に係合する扉の開閉装置において、
前記回転把手にロック機構を設け、前記背面ケーシングの底部に横方向の長孔を設け、かつ、該長孔に対向する扉内面の位置に該長孔と同じ大きさの長孔を設け、前記スライダーを、後部を扉の内外方向に２分割し、かつ、その扉の内面側の分割部分を前部と連結した構造とし、その重なった２つの部分に、扉の内面側から連通する螺孔を設け、先端をネジ切りしたノブの先端部を扉の内面側から前記背面ケーシングの底部の長孔を挿通して２つの分割部分の螺孔に螺入して２つの分割部分を係合し、前記ノブを前部に連結しない部分の螺孔から抜いて２つの分割部分の係合を解き、回転把手がロックされた状態でも、扉の内面側から前記ノブで前記スライドの前部をスライドさせて作動部材を回動させて扉を開くことを可能としたことを特徴とする扉の開閉装置。
【請求項３】
作動部材のＴ字の水平部の先端部またはロッドの孔が長孔であり、かつ、背面ケーシングの上下にロッドガイドを設けたことを特徴とする請求項１または２に記載の扉の開閉装置。
【請求項４】
ノブに固定され、扉の内面に設けた長孔周縁に接触して、ノブによるスライダーの停止時および作動時ともに、前記長孔を覆う大きさでノブの動きに連動する蓋を設けたことを特徴とする請求項１または２に記載の扉の開閉装置。
【発明の詳細な説明】
【０００１】
【発明の利用分野】
この発明は、ロッドの挿・脱による観音開き、または、片開き扉の開閉装置に関するものである。
【０００２】
【従来の技術】
ロッドの挿・脱による観音開き、または、片開きの扉の開閉装置としては、実開平７−２１９４３により開示されたものがある。
この考案は、図５に示すように、略方形箱形状に形成された把手ケース１と作動ノッチ２を突設した回転把手と（図示省略）、把手ケース１の底部に取り付けた方形箱形状の背面ケーシング３と、背面ケーシング３と把手ケース１の間の上下方向中間部に、横方向にスライド自在に設置され、後端に回転把手の作動ノッチ２の先端を係合した孔を設けたスライダー４の先端部に軸５を設け、その軸５に２個のクランク型の作動レバー６、６を回動自在に支持し、スライダー４の先端部の周辺に把手ケース１の底部に近接して配置され、背面にそれぞれの作動レバーの中間に設けた軸承孔に、背面ケーシング３の一側縁に近接する先端部に支持片直角に屈曲して軸止板に設けた支持７、７を挿通しており、それぞれの作動レバー６の先端にロッド８が軸止されている。
【０００３】
この開閉装置は、回転把手を回転して起こすと、作動ノッチ２でスライド４が押され、すなわち、図において右方へスライドし、作動レバー６、６、軸５により引かれてＶ字状となり、２個の作動レバー６、６の先端間が狭まり、ロッド８が引かれ、ロッド８の先端が扉の上方および下方の枠９に設けた孔１０より抜けて、扉と枠９との係合が開放されて、扉を開くことができる。
【０００４】
回転把手を元に戻す、すなわち回転把手を把手ケース１の底面と平行にすると、作動ノッチ２でスライダー４が引かれ、２つの作動レバー６、６は直線状態となり、２つの作動レバー６、６の先端間が最も広くなり、従って、ロッド８、８が押され、それらのロッド８の先端が枠９、９の孔１０、１０に挿入されて、扉を枠９に係止する。
【０００５】
【発明が解決しようとする課題】
従来の上記開閉装置は、操作レバー６の一端がスライダー４の軸５で押された時の作動レバー６の先端から、スライダー４の軸５で引かれ２つの作動レバー６が直線状となった状態の作動レバー６ａの先端への円弧状の動きが大きく、したがってそれに連結されたロッドの左右の振れが大きい。それ故に、枠９の孔１０に取り付けられたブッシュ１１および孔１０に対向する扉の孔１２に取り付けられたブッシュ１３の中をロッド８が斜めに出たり入ったりするので、ロッド８とブッシュ１１、１３との摩擦が大きく、ロッド８およびブッシュ１１、１３が磨耗し易く、またその摩擦で扉の開閉が重く、従って操作感が重い。
【０００６】
消毒保管装置や冷凍、冷蔵庫等の扉では、扉内部および枠９の周囲内部に断熱材１４を入れなければならない。
上記従来の開閉装置では、把手ケース１から突き出た作動レバー６とロッド８の運動領域の断熱材１４を切り欠く必要があるが、上記のとおり作動レバー６の円弧状の動きが大きく、従って作動レバー６と連動するロッドの左右の振れも大きいので、断熱材１４の切り欠く面積が大きく、また、ロッド８の先端部が斜めにブッシュ１１、１３を出たり入ったりするから、ブッシュ１１、１３の孔も大きくしなければならないから、断熱効果が悪い。
【０００７】
また、前記開閉装置は、把手の下部側に、その背面にキーシリンダーが設けられ、これに対応して把手表面に設けた鍵孔にキーを差し込んで、シリンダー軸を回転させることにより、掛合爪を把手ケース１の凹部内壁に設けた掛合突起に掛合して回転把手の回動をロックし、作動レバー６とロッド８を固定し扉をロックするようになっているが、例えばカート毎消毒保管する装置のような大型装置の室内に人が入った状態で、何らかの理由で扉が閉じられロックされた場合には、室内から扉を開けることが出来ず、また、ロックされなくても、把手が倒されていると、室内から把手を起こすことができず、従って、スライダーをスライドさせることができないので、扉を開けることはできないから、室内に人が閉じ込められていることが他の人に気付かれないと大きな人身事故となる恐れがある。
【０００８】
この発明は、ロッドが上下にほとんど直動し、従ってロッドやブッシュの磨耗が少なく、扉開閉が軽く、ロッドの左右の振れが非常に少ないので、断熱扉の場合に断熱材の切り欠き量が少なくてすみ、断熱効果が高く、作動部材が背面ケーシング内に納まるので省スペースであり、また、内部からも扉をあけることのできる扉の開閉装置を提供することを目的とする。
【０００９】
【課題を解決するための手段】
扉の表側に取り付けられた、略方形箱形状に形成され、その底部の一側部に通孔を設けた把手ケースと，
前記把手ケースの凹部上の左右方向片側約半分を覆い、板状に形成され、前記把手ケースの凹部の一側部において支軸を介して回転自在に支承され、回転支承側の裏面の中央部に前記把手ケースの通孔に移動自在に挿嵌した作動ノッチを突設した回転把手と，
前記把手ケースの底部に取り付けた方形箱形状の背面ケーシングと，
前記把手ケースと背面ケーシングの間の、上下方向中央部に、横方向にスライド自在に設置され、後端に前記回転把手の作動ノッチの先端を係合した孔を設け、先端に突起または長孔を突設したスライダーと，
前記背面ケーシング内に収容配置が可能な大きさで、かつ、Ｔ字状で、Ｔ字の水平部中央に孔を設け、その孔に前記背面ケースの突起を挿入し、その突起を軸として回動自在であり、Ｔ字の水平部の左右を作動レバーとし、該作動レバーの先端部に孔または突起を設け、Ｔ字の垂直部の先端部に長孔を設け、その長孔に前記スライダーの突起を挿入するか、または、Ｔ字の垂直部の先端部に突起を設け、その突起を前記スライダーの長孔に挿入してなる作動部材と，
一方の端部に突起または孔を設け、その突起を前記作動部材の左右の作動レバーの孔に挿入するか、または、前記長孔に前記作動部材の左右の作動レバーの突起を挿入して係合され、他端が作動レバーの作動により上下に進退して扉とそれに接する枠とを係合またはその開放を可能とするロッドと
で開閉装置を構成し、
前記回転把手の回転立ち上がりにより作動ノッチが前記スライダーを押し、スライダー先端の突起または長孔壁が前記作動部材のＴ字の垂直部を押して作動レバーが水平となり、作動レバーがロッドを引いてロッドによる扉と枠との係合を解いて扉を開くことを可能とし、回転把手を倒して元の状態にすることにより作動ノッチがスライダーを引き、スライダーが作動部材のＴ字の垂直部を引き、作動レバーが斜めになってロッドを押し、ロッドの先端が扉より出て枠に係合することを可能とする。
【００１０】
作動部材のＴ字の水平部の先端部またはロッドの孔を長孔とし、かつ、背面ケーシングの上下にロッドガイドを設け、ロッドが上下に直動運動をするようにする。
【００１１】
前記開閉装置において、背面ケーシングの底部に横方向の長孔を設け、かつ、該長孔に対向する扉内面の位置に該長孔と同じ大きさの長孔を設け、スライダーに螺孔を設け、扉内面側から前記長孔を挿通して前記螺孔にノブの先端を螺入し、該ノブによりスライダーをスライドさせ、室内から扉を開くことを可能とする。
【００１２】
前記０００９および００１０の開閉装置において、回転把手にロック機構を設け、背面ケーシングの底部に横方向の長孔を設け、かつ、該長孔に対向する扉内面の位置に該長孔と同じ大きさの長孔を設け、スライダーを、後部を扉の内外方向に２分割し、かつ、その扉の内面側の分割部分を前部と連結した構造とし、その重なった２つの部分に、扉の内面側から連通する螺孔を設け、先端をネジ切りしたノブの先端部を扉の内面側から前記背面ケーシングの底部の長孔を挿通して２つの分割部分の螺孔に螺入して２つの分割部分を係合し、前記ノブを前部に連結しない部分の螺孔から抜いて２つの分割部分の係合を解き、回転把手がロックされた状態でも、ノブで前部をスライドさせ、作動部材を回動させ、室内からも扉を開くことを可能とする。
【００１３】
断熱扉の場合には、ノブによるスライダーの停止時および作動時ともに、扉の内面に設けた長孔周縁に接触し、かつ、前記長孔を覆う大きさの蓋をノブに固定し、ノブの動きに連動させる。
【００１４】
この発明の実施の形態を図面により説明する。
回転把手２１は、略方形箱形状の把手ケース２２の凹部の左右方向片側約半分を覆う板状に形成され、支軸２３を介して把手ケース２２に支承されている。
【００１５】
回転把手２１の回転支承側の裏面の中央部に作動ノッチ２４を突設する。
【００１６】
把手ケース２２の底面に、作動ノッチ２４が挿入されて回転把手２１と共に若干回動することを許容するクリアランスを持った通孔２５を設ける。
【００１７】
把手ケース２２は、方形箱形状の背面ケーシング２６に、両者の底部間に間隔を置いてビス等で固定されている。
【００１８】
把手ケース２２と背面ケーシング２６の前記底部間隔内に、スライダー２７を横方向にスライド自在に設置し、その後端部（図において左方）に孔２８を設け、回転把手２１の作動ノッチ２４の先端を挿入係合させて、回転把手２１の回動と共に作動ノッチ２４でスライダー２７を進退させることを可能とする。
【００１９】
スライダー２７の先端部（図において右方）には、突起よりなる軸２９を設け、Ｔ字状の作動部材３０の垂直部分の突部３１に孔３２を設け、その孔３２に軸２９を挿入して軸止し、水平部分の中央に孔を設け、その孔に背面ケーシング２６に突設した軸３３を挿入し、作動部材３０を回動可能に支承する。
【００２０】
作動部材３０のＴ字状水平部の軸３３の両側が作動レバー３４、３４である。それぞれの作動レバー３４の先端部には、孔３５、３５を設け、それにロッド３６、３６の一端に突設した支軸３７、３７を挿入している。
軸２９を挿入させる孔３２は長孔とし、支軸３７を挿入させる孔３５は、長孔とするのが好ましい。
【００２１】
ロッド３６、３６の先端は、後述の作動レバー３４に押された時に、扉の上下の孔に設けたブッシュ３８、３８を突き出て、それに対向する上下の枠３９の孔に設けたブッシュ４０に突入する。
【００２２】
作動部材３０の孔３２は長孔であり、孔３５、３５も長孔にすれば、支軸３７、３７の回動連動の縦方向の動きのみをロッド棒に伝え、横方向の動きは長孔で逃し、ロッドガイド４１をロッド３６を突き出させる背面ケーシング２６の孔に設ければ、ロッド３６の背面ケーシング２６より突出した部分は、垂直に直線的に進退する。このロッド３６の直線的運動により、断熱扉の場合には、ロッド３６の背面ケーシング２６より突出した部分が上下する垂直で、図２（Ｃ）に示すように、ロッド３６の径とほとんど等しい径の孔４３を設けるだけでよい。
【００２３】
この開閉装置は次のとおり作動する。
図２に示すように、回転把手２１を回転させて起こすと作動ノッチも回転してスライダー２７を前進（図において右方向）させる。
スライダー２７が前進すると、軸２９が作動部材３０の突部３１を押し、作動部材３０は軸３３を軸として回転し、作動レバー３４、３４がスライダー２７と平行（横方向）になる。
作動レバー３４、３４が横方向になる際に支軸３７、３７がロッド３６、３６を引き、ロッド３６、３６の先端がブッシュ４０、４０から抜けて扉側のブッシュ３８内に入り、ロッドによる扉と枠３９、３９との係止が解放され、扉を開くことが可能となる。
【００２４】
扉と枠３９、３９とを係止させるためには、扉を閉じて回転把手２１を倒して元に戻すと、作動ノッチ２４も逆回転してスライダー２７を後退させる。
スライダー２７が後退すると、軸２９が突部３１を引き、作動部材３０は軸３３を軸として逆回転し、図３に示すように作動レバー３４、３４は傾斜した状態となり、支軸３７、３７がロッド３６、３６を押して、その先端が枠３９、３９のブッシュ４０、４０内に入り扉と枠３９、３９とが係止され、扉が開かなくなる。
【００２５】
図２、図３に示すロッド３６はくの字に曲がっており、２つのロッド３６、３６が１つの垂直線上を上下するようにされている。
図４は、くの字に屈曲しないロッド３６を用いた開閉装置の説明図である。
この場合には２つのロッド３６、３６は平行線上に位置することになる。
この場合においてもロッド３６、３６の先端部の孔３５、３５を長孔とすれば、ロッド３６、３６は直動し、前記のようにほとんど直動するところだけの孔４３を設けるだけでよい。
【００２６】
上記作動部材３０の孔３２、３５、３５のいずれかを突部に替え、その突部に対応するスライダー２７の軸２９を長孔に、ロッド３６、３６の軸３７、３７を孔、好ましくは長孔、に替えてもよい。
【００２７】
扉を閉じてロックするためには、図６に示すように、回転把手２１にシリンダー錠４４を取り付け、その係止片４５を把手ケース２２に係止させて、回転把手２１の回動を阻止してロックし、係止片４５の係止を解放させてロックを解除するようにする。
ロック構造は上記以外の構造を採用してもよい。
【００２８】
上記開閉装置を取り付けた扉を用いた大型の室に人が入っているのを知らずに外から扉を閉じて、回転把手２１が倒された場合には、室内からは回転把手２１を回動させることができないので扉を開けることができず、大問題となる恐れがある。
そこで、次のとおり室内からも作動部材３０を回動させる必要がある。
【００２９】
回転把手２１のロック機構を備えていない開閉装置の場合には、図７および図８に示すように、スライダー２７にネジ孔４６を設け、それに対向する背面ケーシング２６の部分に長孔４７を、扉の内面に長孔５０を設け、先端部にネジ切りしたノブ４８の先端部を室内側から長孔５０、４７を通してスライダー２７のネジ孔４６に螺入してノブ４８とスライダー２７とを結合する。
断熱扉の場合には、消毒保管装置等の室内が開閉装置の長孔４７、５０を通じて外気と連通し断熱効果を低下させるのを防止するために、長孔５０の周縁に接触し、ノブ４８によるスライダー２７の停止時および作動時ともに長孔５０を覆う大きさの蓋４９をノブ４８に固定し、蓋４９が常に長孔５０を覆いながらノブ４８の動きに連動するようにする。
【００３０】
室内から扉を開けるためには、図７において、ノブ４８を左方へ動かすことにより、作動部材３０の突部３１が押され、作動レバー３４が回転し、ロッド３６が引かれてロッド３６による扉と枠３９との係合が解かれ扉を開くことができる。
【００３１】
図６に示すように、回転把手２１にロック機構が設けられている場合には、誤って人が室内に閉じ込められ、ロックされると、図７に示すようにノブ４８を取り付けても、ノブ４８でスライダー２７を動かすことが出来ないので、室内から扉を開けることができない。
そこで回転把手２１にロック機構を設けた場合には図１０および図１１に示すように、次のとおりの構成とする。
【００３２】
すなわち、スライダー２７を、作動部材３０の突部３１を係止していない後部で、上下（図において）に分割し、突部３１を係止している部分２７ａと、それと切り離された部分２７ｂとし、部分２７ａおよび２７ｂを重ねた状態において上下（図において）垂直に連通するネジ孔４６を設け、下端部をネジ切りしたノブ４８を室内側から背面ケーシング２６の長孔４７を通してネジ孔４６に螺入して部分２７ａ、２７ｂを係合固定する。
【００３３】
扉が閉じられた場合には、ノブ４８を廻してその先端部を部分２７ｂのネジ孔４６から抜き、部分２７ａと２７ｂとの係合を解き、ノブ４８を持って図において右方向へ押すと、部分２７ａは図において右方向へ押すので、突部３１は押され、作動部材３０は図２に示す状態となり、ロッド３６は作動レバー３４に引かれて先端部が枠３９のブッシュ４０から抜け、扉を開くことが出来る。
この状態では回転把手２１は作動部材３０を回転させることができなくなっているので、室内の人が室外へ出てからノブ４８で部分２７ａを元の方向にスライドさせて、部分２７ａと２７ｂとを重ね、ノブ４８を廻してその先端部を部分２７ｂのネジ孔４６に螺入すれば、回転把手２１でスライダー２７をスライドさせて作動部材３０を回動させることが出来るようになる。
【００３４】
【発明の効果】
この発明に係る開閉装置は、従来のものに比べ次のとおり優れた効果を有する。
▲１▼  操作性および耐磨耗性が向上し、省スペース化された。
すなわち、従来のものは左右の振れが大きいためロッドがブッシュと干渉し、操作感が重くなり、ロッド、ブッシュ、各軸の磨耗が大きいが、本件発明に係る開閉装置では、ロッドの左右の振れがほとんどなく、ロッドはほとんど直線運動をするので、操作感が軽く、ロッド、ブッシュ、各軸の磨耗は非常に少ない。
両者の作動レバーの運動の比較を図１２により説明すると、次のとおりである。
すなわち、従来のものの作動レバー６のロッド係止点は支軸７を中心として円弧ＨＫ上を動き、振幅の幅はＸａであり、ロッドの上下運動幅はＹａである。
本件開閉装置の作動レバーにおいては軸３３を中心として円弧ＩＪ上を動き、その動きの幅はＸｂであり、ロッドの上下運動幅はＹｂである。
これで明らかなように、従来のものはロッドの円弧上の運動の幅が大きい割に上下運動幅が小さい。
これに比べて、本件のものはロッドの円弧上の運動の幅が小さくて、上下運動幅が大きい。
すなわち、作動レバーの長さが両者同じである場合で、先端の円弧上の運動量が同じとすると、すなわち、ＨＫ＝ＩＪとすると、作動角度θａ＝θｂとなる。従来のものは初期角度αがあり、本件のものは初期角度がないために
Ｘａ＞Ｘｂ
Ｙａ＜Ｙｂ
となる。
Ｘａ＞Ｘｂと言うことは、本件の方が従来のものに比べて左右の振れが小さいと言うことであり、Ｙａ＜Ｙｂと言うことは、作動レバーの先端の同じ移動量で、本件の方がロッドの上下移動量が大きいことを意味する。
ロッドの上下移動量がＹａでよいとすると、すなわち、Ｙａ＝Ｙｂでよいとすると、
θａ＞θｂとなって
本件のものの方が従来のものに比べて作用角度が小さく、振幅の幅が更に狭くなる。
またＹａ＝Ｙｂ、θａ＝θｂとしようとすると、半径すなわち、支軸から作動レバーの先端までの長さは、本件の方は図１２（Ｂ）に示すように、Ｏ−Ｉ' 、Ｏ−Ｊ' の長さでよく、従来のものより非常に小さくてすみ、省スペース化と言う点でも本件の方が優れている。
【００３５】
▲２▼  断熱材を用いた扉においては断熱性に優れている。
上記のとおり、本件のものは、ロッドの左右の振れが小さい上に、作動レバーのロッドの支軸係止孔が長孔であって、支軸の回転運動の縦方向の動きのみをロッドに伝え横方向の動きは長孔で逃がし、ロッドガイドを付けることでロッドは直線的に動く。
また、従来のものは作動レバーを長くする必要があるので作動レバーの先端部が背面ケーシングより突出している。従って、この作動レバーの突出部の運動およびロッドの左右の振れの範囲には断熱材を設けることは出来ない。
従来のものは、作動レバーおよびロッドの左右の振れが大きいので、相当大きい範囲で断熱材を切り欠かなければならないが、しかし、本願のものは、作動レバーは初期作動角度を０とし、水平で作動し、前述のとおり背面ケーシング内に納めることができ、ロッドも上下に直動するので断熱材はロッドの直動可動部のみを取り除けばよい。
この両者の相違は、図２（Ｃ）および図４（Ｂ）と図５（Ｂ）を比較くすれば明らかである。
【００３６】
▲３▼  扉内面側にノブを取り付けることにより、室内から扉を開けることができ、室内に閉じ込められる恐れがない。
スライダーに扉内面側からノブを取り付けたものは、ノブを動かすことによりスライダーを動かしてロッドを引くことができ、スライダーを二分割したものはノブを緩めた後に作動部材と係合している方の分割スライダーを動かすことにより、回転把手がロックされた状態のままで、ロッドを引くことが出来、従って、室内から扉を開く事が出来る。
【図面の簡単な説明】
【図１】扉の正面図である。
【図２】本願開閉装置の、（Ａ）は扉を開くことの可能な状態の要部断面正面図、（Ｂ）はＡ−Ａ断面説明図、（Ｃ）はＢ−Ｂ断面図である。
【図３】本願開閉装置の、（Ａ）は扉を閉じた状態の要部断面正面図、（Ｂ）はＣ−Ｃ断面説明図、（Ｃ）はＤ−Ｄ断面図である。
【図４】本願の他の実施の形態の、（Ａ）は扉を閉じた状態の開閉装置の要部断面正面図、（Ｂ）はＥ−Ｅ断面図である。
【図５】従来例の開閉装置の、（Ａ）は扉を閉じた状態の要部断面正面図、（Ｂ）はＦ−Ｆ断面図である。
【図６】本願開閉装置の他の実施の形態の要部正面図である。
【図７】本願開閉装置の他の実施の形態の要部断面説明図である。
【図８】本願開閉装置ノブおよび蓋の移動説明デザインである。
【図９】本願開閉装置の他の実施の形態の要部断面説明図である。
【図１０】本願開閉装置のスライダーの２分割部分をノブで係合した状態の説明図である。
【図１１】本願開閉装置のスライダーの２分割部分をノブでの係合を解除した状態の説明図である。
【図１２】本願開閉装置および従来例の開閉装置の作動部材の運動状態の比較図である。
【符号の説明】
１  把手ケース
２  作動ノッチ
３  背面ケーシング
４  スライダー
５  軸
６、６ａ  作動レバー
７  支軸
８  ロッド
９  枠
１０  孔
１１  ブッシュ
１２  孔
１３  ブッシュ
１４  断熱材
２１  回転把手
２２  把手ケース
２３  支軸
２４  作動ノッチ
２５  通孔
２６  背面ケーシング
２７  スライダー
２８  孔
２９  軸
３０  作動部材
３１  突部
３２  孔
３３  軸
３４  作動レバー
３５  孔
３６  ロッド
３７  支軸
３８  ブッシュ
３９  枠
４０  ブッシュ
４１  ロッドガイド
４２  断熱材
４３  孔
４４  シリンダー錠
４５  係止片
４６  ネジ孔
４７  、５０  長孔
４８  ノブ
４９  蓋
【図１】
0003769088.tif 000002
【図２】
0003769088.tif 000003
【図３】
0003769088.tif 000004
【図４】
0003769088.tif 000005
【図５】
0003769088.tif 000006
【図６】
0003769088.tif 000007
【図７】
0003769088.tif 000008
【図８】
0003769088.tif 000009
【図９】
0003769088.tif 000010
【図１０】
0003769088.tif 000011
【図１１】
0003769088.tif 000012
【図１２】
0003769088.tif 000013